【事件の表示】
　特願２０１３−２１９５５３「磁気共鳴イメージングシステム及び磁気共鳴イメージング方法」拒絶査定不服審判事件〔平成２６年　５月１２日出願公開、特開２０１４−　８３４４５〕について、次のとおり審決する。
【結　論】
　本件審判の請求は、成り立たない。
【理　由】
第１　手続の経緯
　本願は、平成２５年１０月２２日（パリ条約による優先権主張　２０１２年１０月２３日　 韓国、２０１２年１１月１４日　 韓国）の出願であって、平成２９年８月１７日付けで拒絶理由が通知され、同年１１月２８日付けで意見書及び手続補正書が提出され、平成３０年４月２０日付けで最後の拒絶理由が通知され、同年７月３１日付けで意見書及び手続補正書が提出され、同年９月１２日付けで、平成３０年７月３１日付けの手続補正書に対する補正の却下の決定がなされ、同日付けで拒絶査定されたところ、平成３１年１月１７日に拒絶査定不服審判の請求がなされ、同時に手続補正（以下、「本件補正」という。）がなされ、その後、平成３１年４月２２日に上申書が提出されたものである。
第２　本件補正についての補正の却下の決定　
［補正の却下の決定の結論］　
　本件補正を却下する。　
　　
［理由］　
１　補正後の請求項１に係る発明（下線は補正箇所を示す。）　
　本件補正により、補正前の特許請求の範囲の請求項１は、
「　　【請求項１】
　磁気共鳴イメージング（ＭＲＩ）方法において、
　被写体のボリュームを構成する複数のサブボリュームの内、隣接するサブボリュームが互いに異なるグループに属するようにグループ化された少なくとも２つ以上のグループそれぞれに含まれた複数のサブボリュームが同時に励起されるように、複数の周波数成分を含むＲＦ（Ｒａｄｉｏ　Ｆｒｅｑｕｅｎｃｙ）パルス及び選択グラディエント（ｇｒａｄｉｅｎｔ）を前記被写体に印加する段階と、
　前記励起されたサブボリュームそれぞれに対して３次元エンコードを行い、前記複数のサブボリュームから磁気共鳴信号を取得する段階と、
　前記取得した磁気共鳴信号を前記複数のサブボリュームそれぞれに対応するイメージデータに復元する段階とを有し、
　
前記少なくとも２つ以上のグループがｎ個（ｎは、自然数）存在し、前記ｎ個のグループそれぞれには、Ｍ個（Ｍは、自然数）のサブボリュームが含まれた場合、
Ｍ個の
たものであり
　
前記印加する段階は、前記ｎ個のグループのうち、第１グループに対して磁気共鳴信号を取得しようとする場合、前記第１グループに含まれた前記Ｍ個のサブボリュームが同時に励起されるように、前記ＲＦパルス及び前記選択グラディエントを前記被写体に印加し、
　
前記取得する段階は、前記第１グループに含まれた前記励起されたＭ個のサブボリュームそれぞれに対して第１方向に対する第１エンコードグラディエント、第２方向に対する第２エンコードグラディエント、第３方向に対する周波数エンコードグラディエントを印加する前記３次元エンコードを行うことで前記磁気共鳴信号を取得し、
　前記第１方向または前記第２方向のうち、いずれか一方向は、前記選択グラディエントが印加された方向と同一である
と補正された。　　　
　本件補正は、補正前の請求項１に係る発明を特定するために必要な事項である「２つ以上のグループそれぞれに含まれた複数のサブボリューム」が「前記複数のサブボリュームそれぞれは、複数のスライスが蓄積された」ものであることについて、「前記少なくとも２つ以上のグループがｎ個（ｎは、自然数）存在し、前記ｎ個のグループそれぞれには、Ｍ個（Ｍは、自然数）のサブボリュームが含まれた場合、前記Ｍ個のサブボリュームそれぞれは、複数のスライスが蓄積されたものであり」と、「２つ以上のグループそれぞれに含まれた複数のサブボリューム」の「グループ」の数と「サブボリューム」の数を明示的に限定し、
　「前記被写体に印加する段階」について、「前記ｎ個のグループのうち、第１グループに対して磁気共鳴信号を取得しようとする場合、前記第１グループに含まれた前記Ｍ個のサブボリュームが同時に励起されるように、前記ＲＦパルス及び前記選択グラディエントを前記被写体に印加し、」と限定し、
  「前記複数のサブボリュームから磁気共鳴信号を取得する段階」について、「前記第１グループに含まれた前記励起されたＭ個のサブボリュームそれぞれに対して第１方向に対する第１エンコードグラディエント、第２方向に対する第２エンコードグラディエント、第３方向に対する周波数エンコードグラディエントを印加する前記３次元エンコードを行うことで前記磁気共鳴信号を取得し、
　前記第１方向または前記第２方向のうち、いずれか一方向は、前記選択グラディエントが印加された方向と同一である」と限定したものである。
　したがって、本件補正は、本件補正前の請求項１に記載された発明を特定するために必要な事項について、上記のとおり限定を付加するものであって、補正前の請求項１に記載された発明と補正後の請求項１に記載される発明の産業上の利用分野及び解決しようとする課題が同一であるから、特許法１７条の２第５項２号の特許請求の範囲の減縮を目的とするものに該当する。
　そこで、本件補正後の前記請求項１に係る発明（以下「補正発明」という。）が、特許法第１７条の２第６項において準用する同法第１２６条第７項の規定に適合するか（特許出願の際独立して特許を受けることができるものであるか）について、以下に検討する。
　
２　引用文献及びその記載事項
（１）本願の最先の優先権主張日前に頒布され、原査定の拒絶の理由に引用された特開２００９−２６８８９１号公報（以下、「引用文献Ａ」という。）には、「マルチスライス／スラブ磁気共鳴信号を同時に取得する制御方法、成像方法およびシステム」について図面とともに次の事項が記載されている。なお、以下の摘記において、（２）の引用発明の認定に関連する箇所に下線を付与した。
　
（１−ア）
「【技術分野】
【０００１】
本発明は
磁気共鳴システムの
成像方法
・・・
【０００９】
図２を参照するが、既存の３次元空間的な符号化手続きが１回のスキャンに測定物の単一のスラブのみに対して励起をしか進行できないことにより、該スラブの全てのスライス映像を取得するが、更に３次元磁気共鳴映像の映像取得時間も例えば公式１のように示し、但し全部の符号化回数Ｎpe＝位相符号化回数（Ｎp）×スライス符号化回数（Ｎz）となり、考えてみると分かり、３次元磁気共鳴映像の取得時間が２次元磁気共鳴映像の取得時間よりも、もっと時間の無駄となる。」
（１−イ）
「【発明が解決しようとする課題】
【００１６】
既存のマルチスライス／スラブ映像磁気共鳴の映像処理技術がハードウェア・設備またはソフトウェアの運算の負担を増加する必要があることに鑑み、従って本発明は、即ち既存のシステム・ハードウェアの動作に互換性があり且つ余分なハードウェア・設備の必要がない更にマルチスライス／スラブ磁気共鳴信号を同時に取得できる制御方法、成像方法およびシステムを、提供するものである。
【課題を解決するための手段】
【００１７】
本発明のマルチスライス／スラブ磁気共鳴信号を同時に取得する制御方法は、測定物に対して行い、下記のステップを含むが、（ａ）少なくとも２つの周波数をロードする一つまたは多数のラジオ波（ＲＦ）パルスと一つのスライス／スラブ励起勾配磁場をかけることにより該測定物が該各周波数の少なくとも２つのスライス／スラブに対応して励起されること、（ｂ）空間的な符号化勾配磁場をかけること及び（ｃ）該各スライス／スラブを互いに分離できるスライス／スラブ分離勾配磁場を少なくとも一つかけること。
【００１８】
本発明のマルチスライス／スラブ磁気共鳴信号を同時に取得する成像システムは、測定物が磁気共鳴信号を生成させるように用いられ、且つ該磁気共鳴信号により異なるスライス／スラブの空間的な符号化データを復元するが、該成像システムは、一つのラジオ波励起モジュール、一つのラジオ波受信モジュール、一つの勾配磁場出力モジュール、及び前述の素子の動作を制御する一つのシーケンス・コントローラを含む。
【００１９】
該シーケンス・コントローラは、該ラジオ波励起モジュール，該勾配磁場出力モジュールと該ラジオ波受信モジュールを制御するように用いられ、マルチスライス／スラブ磁気共鳴信号を同時に取得する制御手続きを、実行するように用いられる。」
（１−ウ）
「【００２８】
本発明を詳細に陳述する前に、注意すべきのは、以下の説明内容の中に、同じ符号により類似する素子を表示し、且つ説明に便宜を図るために、符号の”／”が”又は”を意味する。それ以外に、本発明の使用する座標システム（Ｘ，Ｙ，Ｚ）は、映像の座標となり、器具の空間絶対座標ではない。
【実施例】
【００２９】
本発明のマルチスライス／スラブ磁気共鳴信号を同時に取得する制御方法、成像方法およびシステムの効果は、同時に励起でき、且つ数多くの測定物の異なる位置の磁気共鳴映像をピックアップし、更に多種類の既存の磁気共鳴器具・設備に互換性があることを可能とし、また余分なハードウェア・施設、例えば余分なラジオ波（ＲＦ）チャンネル／勾配コイルを増加する必要がなく、且つ余分な映像情報演算時間とコンピューター設備を増加する必要がない。
【００３０】
説明すべきなのは、本発明の言及するマルチスライス／スラブ磁気共鳴信号を同時に取得する制御方法が、磁気共鳴システムに応用され、エコープラナー撮像（Ｅｃｈｏ  Ｐｌａｎａｒ  Ｉｍａｇｉｎｇ，  ＥＰＩ），灌流造影（Ｐｅｒｆｕｓｉｏｎ），フロー映像（Ｆｌｏｗ），血管造影検査映像（Ａｎｇｉｏ），温度映像（Ｔｅｍｐｅｒａｔｕｒｅ），Ｔ1映像（格子−スピン緩和時間常数），Ｔ2映像（スピン−スピン緩和時間常数）又は拡散造影（Ｄｉｆｆｕｓｉｏｎ）などの成像システムを含むものである。
【００３１】
一、ハードウェア設備：
図３を参照するが、それがシステム・ブロック図で、本発明のマルチスライス磁気共鳴信号を同時に取得する成像システムのより好ましい実施例を説明するためである。
【００３２】
成像システム１００は、一つのシーケンス・コントローラ１，励起波形を発射できる一つのラジオ波励起モジュール２１，磁気共鳴映像信号を受信できる一つのラジオ波受信モジュール２２，一つの静磁場出力モジュール３，一つの勾配磁場出力モジュール４，一つのメインコンソール７，一つの表示装置５２及び一つの入力装置５３を含むが、その中でも、ラジオ波励起モジュール２１とラジオ波受信モジュール２２がそれぞれシングルチャンネル又はマルチチャンネルのラジオ波コイルであってもよく、勾配磁場出力モジュール４が一つの勾配制御器４１と数個の勾配コイル４２を具することを可能とし、メインコンソール７が一つのコントローラモジュール７１，一つの格納モジュール７２と一つの画像処理モジュール７３を具する。
【００３３】
測定物６が測定空間３０に位置決めすることを可能とし、且つ測定空間３０の内には、静磁場出力モジュール３により生成された均一磁場および勾配制御器４１が該等の勾配コイル４２を制御することにより生成された勾配磁場を、具するが、該均一磁場は、該勾配磁場に対応して測定物６が磁気共鳴信号ソースの磁化量を生成させるように用いられる。」
（１−エ）
「【００３４】
二、前述の装置を利用する成像方法：
ａ．２次元磁気共鳴造影
・・・
【００４５】
ｂ．３次元磁気共鳴造影成像
３次元磁気共鳴造影と２次元磁気共鳴造影との差異は、２次元磁気共鳴造影が１回に一つのスライスを励起し、更に取得された映像の情報を２次元空間的な符号化するが、３次元磁気共鳴造影が１回に一つのスラブを励起し、更に取得された映像の情報を３次元空間的な符号化する。
【００４６】
図５を参照するが、それがフローチャートで、本発明のマルチスラブ磁気共鳴信号を同時に取得する成像方法ののより好ましい実施例を説明するためである。
【００４７】
図３と図５を参照するが、
ステップ３０１
ラジオ波励起モジュール２１
測定物６に対し、少なくとも２つの周波数をロードする一つまたは多数のラジオ波（ＲＦ）パルスと一つのスラブ励起勾配磁場をかける
測定物６が該各周波数の少なくとも２つのスラブに対応して励起されるように
【００４８】
２つのスラブを励起するために用いられるロード周波数ｆ1と周波数ｆ2を出力するラジオ波（ＲＦ）パルス１０１’を例とし、設計上では、周波数ｆ1と周波数ｆ2の両者の周波数ギャップｆsepは、前述の公式２に合致する必要がある。
【００４９】
ステップ３０２
勾配磁場出力モジュール４
一つの空間的な符号化勾配磁場、および該各スラブを互いに分離できる少なくとも一つのスラブ勾配磁場をかけ、且つ空間的な符号化勾配磁場が一つの位相勾配磁場Ｇｙ、一つの周波数勾配磁場Ｇｘと一つのスラブ勾配磁場Ｇｚを含んで測定物６にかける
【００５０】
その中でも、該スラブ分離勾配磁場の強度Ｇsepは、対応して同時に磁気共鳴信号を受信する空間的な符号化勾配磁場の強度Ｇspen（位相勾配磁場Ｇｙ、周波数勾配磁場Ｇｘ又はスラブ勾配磁場Ｇｚであってもよい）との割合が前述の公式３に合致する必要がある。
【００５１】
ステップ３０３
勾配磁場出力モジュール４が空間的な符号化勾配磁場をかける期間に、ラジオ波受信モジュール２２は、測定物６が励起された磁気共鳴信号を受信する
【００５２】
ステップ３０４
磁気共鳴信号に対して空間的な符号化データの再構成および３次元変換を行うことにより、個別のスラブの即時映像を取得する
（１−オ）
「【００５３】
三、制御手続き：
ａ．２次元磁気共鳴造影成像
・・・
【００５８】
ｂ．３次元磁気共鳴造影成像
図７がタイミングチャートであるが、図５の手続きを実行する時に、図３のシステムのタイミングチャートを例として説明する。
【００５９】
図３と図７を参照するが、シーケンス・コントローラ１は、駆動信号を出力することにより、ラジオ波励起モジュール２１，ラジオ波受信モジュール２２と勾配磁場出力モジュール４の動作を駆動・制御するように配置できるが、その制御手続きは、i．シーケンス・コントローラ１が、ラジオ波励起モジュール２１を駆動してが測定物６に少なくとも２つの周波数をロードする一つまたは多数のラジオ波（ＲＦ）パルス１０１’を生成することにより周波数ｆ1と周波数ｆ2をロードするラジオ波（ＲＦ）パルス１０１’を出力することを、例とし、周波数ｆ1と周波数ｆ2の両者の周波数ギャップｆsepは公式２に合致する必要があり且つシーケンス・コントローラ１が、勾配制御器４２を駆動して勾配コイル４１を制御してスラブ励起勾配磁場の強度Ｇssを生成すること（１０４’）、ii．シーケンス・コントローラ１が、測定物６に各スラブの位置符号化の異なる方向に空間的な符号化勾配磁場をかけること、及びiii．シーケンス・コントローラ１が勾配制御器４２を駆動して勾配コイル４１を制御して測定物６にスラブ分離勾配磁場の強度Ｇsep（１０５’）を生成することを、含む。
【００６０】
この実施例の中に、該空間的な符号化勾配磁場は、位相勾配磁場１０２’，周波数勾配磁場１０３’とスラブ勾配磁場１０６’を含み、且つ該空間的な符号化勾配磁場をかける期間に、該スラブ分離勾配磁場１０５’をかけ、更に該測定物６を励起した磁気共鳴信号を受信し、且つスラブ分離勾配磁場の強度Ｇsep（１０５’）は、対応して同時に磁気共鳴信号を受信する空間的な符号化勾配磁場の強度Ｇspenとの割合が前述の公式３に合致する必要があることにより、隣接する２つのスライスを完全に分離できる。
【００６１】
周波数勾配磁場１０３’とスラブ分離勾配磁場１０５’をかけると同時にラジオ波受信モジュール２２により、測定物６を励起した磁気共鳴信号を受信するが、その後に映像処理モジュール７３により該磁気共鳴信号を空間的な符号化して変換、例えばフーリエ変換した後に、３次元変換にて適時スラブの映像データを再構成でき、更に映像処理モジュール７３が、再構成した後の処理結果、即ち分離のスラブの映像画面を出力することにより、表示装置５２に表示できる。」
（１−カ）図３には、以下の図面が記載されている。
  
（１−キ）図５には、以下の図面が記載されている。
  
（１−ク）図７には、以下の図面が記載されている。
  
（２）引用発明について
　上記（１−ア）〜（１−ク）の記載を踏まえれば、上記引用文献には、以下の発明が記載されていると認められる。なお、参考のため、引用発明の認定に使用した引用文献等の段落番号等を、括弧内に付記してある。
「ａ）磁気共鳴システムの成像方法であって、（【００２９】）
ｂ）ラジオ波励起モジュール２１が、測定物６に対し、少なくとも２つの周波数をロードする一つまたは多数のラジオ波（ＲＦ）パルスと一つのスラブ励起勾配磁場をかけることにより、測定物６の該各周波数の少なくとも２つのスラブに対応して励起させるステップ３０１と、（【００４７】）
ｃ）勾配磁場出力モジュール４が、一つの空間的な符号化勾配磁場、および該各スラブを互いに分離できる一つのスラブ勾配磁場をかけ、且つ空間的な符号化勾配磁場が一つの位相勾配磁場Ｇｙ、一つの周波数勾配磁場Ｇｘと一つのスラブ勾配磁場Ｇｚを含んで測定物６にかけるステップ３０２と、（【００４９】）
ｄ）ラジオ波受信モジュール２２が、勾配磁場出力モジュール４が空間的な符号化勾配磁場をかける期間に、測定物６が励起された磁気共鳴信号を受信するステップ３０３と、（【００５１】）
ｅ）磁気共鳴信号に対して空間的な符号化データの再構成および３次元変換を行うことにより、個別のスラブの即時映像を取得するステップ３０４、（【００５２】）
ｆ）からなる上記方法。」（以下、「引用発明」という。）
（３）本願の最先の優先権主張日前に頒布され、原査定の拒絶の理由に引用された国際公開第２０１１／１０６６４９号（以下、「引用文献Ｂ」という。）には、「単一および多重チャネル受信コイルを用いた同時マルチスライス磁気共鳴画像法」について図面とともに次の事項が記載されている。（なお、ファミリー文献である特表２０１３−５２１０１３号を翻訳文として用いている。）
（３−ア）
「BACKGROUND OF THE INVENTION 
[0003] The field of the invention is magnetic resonance imaging (MRI} methods and systems. More particularly, the invention relates to methods and systems for simultaneous multi-slice MRI, in which either a single or multiple channel receiver coil is employed to simultaneously acquire image data from multiple slice locations.」
（当審訳：背景技術
[0003]本発明は、磁気共鳴画像（ＭＲＩ）方法および装置に関するものであり、特に、同時マルチスライスＭＲＩの方法および装置に関する。単一または多重チャネル受信コイルは、複数のスライス位置から画像データを同時に取得するのに用いられる。）
（３−イ）
「[0008] Depending on the technique used, many MR scans currently require many minutes to acquire the necessary data used to produce medical images. The reduction of this scan time is an important consideration, since reduced scan time increases patient throughout, improves patient comfort, and improves image quality by reducing motion artifacts. Many different strategies have been developed to shorten the scan time. 
 [0009] One such strategy for shortening scan time is referred to generally as parallel MRI (pMRI}. Parallel MRI techniques use spatial information from arrays of radio frequency (RF} receiver coils to substitute for the spatial encoding that would otherwise have to be obtained in a sequential fashion using RF pulses and magnetic field gradients, such as phase and frequency encoding gradients. Each of the spatially independent receiver coils of the array carries certain spatial information and has a different spatial sensitivity profile. This information is utilized in order to achieve a complete spatial encoding of the received MR signals, for example, by combining the simultaneously acquired data received from each of the separate coils. Parallel MRI techniques allow an undersampling of k-space by reducing the number of acquired phase-encoded k-space sampling lines, while keeping the maximal extent covered in k- space fixed. The combination of the separate MR signals produced by the separate receiver coils enables a reduction of the acquisition time required for an image, in  comparison to a conventional k-space data acquisition, by a factor related to the number of the receiver coils. Thus the use of multiple receiver coils acts to multiply imaging speed, without increasing gradient switching rates or RF power. 」
（当審訳：[0008]
　用いられる技術に応じて、多くのMRスキャンは、医療画像を生成するのに必要なデータを取得するために、多くの時間が現在必要とされている。このスキャン時間の短縮は、重要な事項である。スキャン時間を短縮することは、全体的に患者を増やし、患者の快適を向上させることができると共に、モーションアーチファクト（motion artifacts）を減らすことで画像の品質を高めることができる。多くの異なる画像方法は、スキャン時間を短くするために開発されている。
[0009]
　スキャン時間を短くするための１つの方法としては、一般的に「
パラレルMRI（pＭＲＩ：parallel MRI）
パラレルMRI法は、取得され位相エンコードされたｋ空間のサンプリングライン（phase-encoded k-space sampling lines）の数を減らすことによって、ｋ空間をアンダーサンプリングすることが可能である。
（３−ウ）
「[0058] With reference now to FIGS. 6A and 6B, exemplary groups of multiple slice locations are illustrated. In FIG. 6A, a first group of slice locations 602 is shown, in which the slice locations are closely grouped together. This close grouping of slice locations is moved sequentially through the desired field-of-view in order to acquire image data throughout the desired field-of-view. For example, the first group of slice locations is moved sequentially through a plurality of group locations until a last group location, indicated by dashed lines 604. When imaging in regions where significant air- tissue interfaces exist, such as the more inferior regions of the brain, it may be advantageous to use a thinner slice thickness than used for imaging other regions. Thus, as illustrated in FIG. 6A, a second group of slice locations 606 may be used, in which the slice locations are again closely spaced, but in which the slice thickness of each individual slice location in the group 606 is thinner than those in the first group 602. Like the first group 602, the second group of slice locations 606 may be sequentially moved through the field-of-view until a last group location 608 is reached. As shown in FIG. 6B, the selected slice locations do not need to be closely spaced; rather, each slice location in a group of slice locations may be spaced apart such that subsequent locations of the group of slice locations are interleaved with other group locations. It will be appreciated by those skilled in the art that the preceding examples of multiple slice location groupings and movement are just examples and that many other variations other than those expressly stated herein are possible within the scope of the invention. 」
（当審訳：[0058] 
　図６（Ａ）および図６（Ｂ）には、複数のスライス位置のグループが示されている。図６（Ａ）では、スライス位置の第１グループ６０２が示され、スライス位置が一緒に密接してグループ化されている。スライス位置のこの密接したグループ化は、所望のフィールドオブビューの全体を通して画像データを取得するために、所望のフィールドオブビューを通じて順に動かされる。例えば、スライス位置の第１グループは、複数のグループ位置を通って、点線６０４で示される最後のグループ位置まで順次動かされる。重要な空気組織界面が存在する領域、例えば、脳の下部領域で画像化するとき、薄いスライス厚みを用いることで、他の領域を画像化するのに用いられるよりも利点を有することができる。このため、図６（Ａ）に示すように、スライス位置の第２グループ６０６が用いられている。そのスライス位置は、再度接近して間隔を置いて配置されているが、第２グループ６０６の各スライス位置のスライス厚みは、第１グループ６０２の各スライス位置のスライスの厚みよりも薄い。スライス位置の第１グループ６０２のように、スライス位置の第２グループ６０６は、最後のグループ６０８に到達するまで、フィールドオブビューを通じて順次動かされる。また、
図６（Ｂ）に示すように、選択されたスライス位置は、隣接して空間を置いて配置する必要はなく、むしろ、スライス位置のグループにおける各スライス位置が、間隔を置いて配置されている。このため、スライス位置のグループの次の位置が、他のグループ位置と交互に配置される。
（３−エ）
  
３　対比・判断　
（１）対比
　補正発明と引用発明とを対比する。
ア  方法について
　引用発明の「ａ）磁気共鳴システムの成像方法」は、「磁気共鳴システム」での画像を作成する方法であるから、補正発明の「磁気共鳴イメージング（ＭＲＩ）方法」に相当する。
イ　印加する段階について
（ア）引用発明の「ｂ）」「測定物６」及び「スラブ」は、それぞれ、補正発明の「被写体のボリューム」及び「サブボリューム」に相当する
　また、引用発明の「ｂ）」「ラジオ波（ＲＦ）パルス」及び「一つのスラブ励起勾配磁場」は、それぞれ、補正発明の「ＲＦ（Ｒａｄｉｏ　Ｆｒｅｑｕｅｎｃｙ）パルス」及び「選択グラディエント（ｇｒａｄｉｅｎｔ）」に相当することは、明らかである。
（イ）、引用発明の「少なくとも２つのスラブ」と、
　補正発明の「被写体のボリュームを構成する複数のサブボリュームの内、隣接するサブボリュームが互いに異なるグループに属するようにグループ化された少なくとも２つ以上のグループそれぞれに含まれた複数のサブボリューム」とは、
　「被写体のボリュームを構成する複数のサブボリューム」で共通する。
（ウ）そうすると、引用発明の「ｂ）ラジオ波励起モジュール２１が、測定物６に対し、少なくとも２つの周波数をロードする一つまたは多数のラジオ波（ＲＦ）パルスと一つのスラブ励起勾配磁場をかけることにより、測定物６の該各周波数の少なくとも２つのスラブに対応して励起させるステップ３０１」と、
　補正発明の「被写体のボリュームを構成する複数のサブボリュームの内、隣接するサブボリュームが互いに異なるグループに属するようにグループ化された少なくとも２つ以上のグループそれぞれに含まれた複数のサブボリュームが同時に励起されるように、複数の周波数成分を含むＲＦ（Ｒａｄｉｏ　Ｆｒｅｑｕｅｎｃｙ）パルス及び選択グラディエント（ｇｒａｄｉｅｎｔ）を前記被写体に印加する段階」とは、
　「被写体のボリュームを構成する複数のサブボリュームが同時に励起されるように、複数の周波数成分を含むＲＦ（Ｒａｄｉｏ　Ｆｒｅｑｕｅｎｃｙ）パルス及び選択グラディエント（ｇｒａｄｉｅｎｔ）を前記被写体に印加する段階」で共通する。
ウ　磁気共鳴信号を取得する段階について
（ア）引用発明の「ｃ）勾配磁場出力モジュール４が、一つの空間的な符号化勾配磁場、および該各スラブを互いに分離できる一つのスラブ勾配磁場をかけ、且つ空間的な符号化勾配磁場が一つの位相勾配磁場Ｇｙ、一つの周波数勾配磁場Ｇｘと一つのスラブ勾配磁場Ｇｚを含んで測定物６にかけるステップ３０２」は、補正発明の「前記励起されたサブボリュームそれぞれに対して３次元エンコードを行」うことに相当する。
　
（イ）引用発明の「ｄ）ラジオ波受信モジュール２２が、勾配磁場出力モジュール４が空間的な符号化勾配磁場をかける期間に、測定物６が励起された磁気共鳴信号を受信するステップ３０３」は、補正発明の「前記複数のサブボリュームから磁気共鳴信号を取得する」ことに相当する。
（ウ）上記（ア）及び（イ）を踏まえると、引用発明の「ｃ）勾配磁場出力モジュール４が、一つの空間的な符号化勾配磁場、および該各スラブを互いに分離できる一つのスラブ勾配磁場をかけ、且つ空間的な符号化勾配磁場が一つの位相勾配磁場Ｇｙ、一つの周波数勾配磁場Ｇｘと一つのスラブ勾配磁場Ｇｚを含んで測定物６にかけるステップ３０２と、
ｄ）ラジオ波受信モジュール２２が、勾配磁場出力モジュール４が空間的な符号化勾配磁場をかける期間に、測定物６が励起された磁気共鳴信号を受信するステップ３０３」は、補正発明の「前記励起されたサブボリュームそれぞれに対して３次元エンコードを行い、前記複数のサブボリュームから磁気共鳴信号を取得する段階」に相当する。
エ　イメージデータの復元について
（ア）引用発明の「ｅ）」「個別のスラブの即時映像」は、補正発明の「複数のサブボリュームそれぞれに対応するイメージデータ」に相当する。
　そうすると、引用発明の「ｅ）磁気共鳴信号に対して空間的な符号化データの再構成および３次元変換を行うことにより、個別のスラブの即時映像を取得するステップ３０４」は、補正発明の「前記取得した磁気共鳴信号を前記複数のサブボリュームそれぞれに対応するイメージデータに復元する段階」に相当する。
オ　グループについて
（ア）引用発明は「測定物６」を「少なくとも２つのスラブに対応して励起させる」のであるから、少なくとも２つのスラブからなる１つのグループを備えているといえる。
　そしてスラブが複数のスライスから成ることは、上記摘記（１−ア）に、「該スラブの全てのスライス映像を取得する」と記載されていることから明らかである。
　さらに、補正発明の「被写体のボリュームを構成する」「サブボリューム」の個数は「複数」であるから、補正発明の「Ｍ個のサブボリューム」の「Ｍ個」が２個以上であることは自明である。
　そうすると、　引用発明の「少なくとも２つのスラブ」と、
　補正発明の「前記少なくとも２つ以上のグループがｎ個（ｎは、自然数）存在し、前記ｎ個のグループそれぞれには、Ｍ個（Ｍは、自然数）のサブボリュームが含まれた場合、前記Ｍ個のサブボリュームそれぞれは、複数のスライスが蓄積されたもの」とは、
　「Ｍ個（Ｍは、自然数）のサブボリュームが含まれた場合、前記Ｍ個のサブボリュームそれぞれは、複数のスライスが蓄積されたもの」で共通する。
カ　印加する段階について２
　上記イ及びオを踏まえると、引用発明の「ｂ）ラジオ波励起モジュール２１が、測定物６に対し、少なくとも２つの周波数をロードする一つまたは多数のラジオ波（ＲＦ）パルスと一つのスラブ励起勾配磁場をかけることにより、測定物６の該各周波数の少なくとも２つのスラブに対応して励起させるステップ３０１」と、
　補正発明の「前記印加する段階は、前記ｎ個のグループのうち、第１グループに対して磁気共鳴信号を取得しようとする場合、前記第１グループに含まれた前記Ｍ個のサブボリュームが同時に励起されるように、前記ＲＦパルス及び前記選択グラディエントを前記被写体に印加」することとは、
　「前記印加する段階は、磁気共鳴信号を取得しようとする場合、前記Ｍ個のサブボリュームが同時に励起されるように、前記ＲＦパルス及び前記選択グラディエントを前記被写体に印加」することで共通する。
キ　磁気共鳴信号を取得する段階について２
（ア）引用発明の「ｃ）」「空間的な符号化勾配磁場が一つの位相勾配磁場Ｇｙ、一つの周波数勾配磁場Ｇｘと一つのスラブ勾配磁場Ｇｚを含んで測定物６にかける」ことの「一つの周波数勾配磁場Ｇｘ」は、補正発明の「前記取得する段階は」「第１方向に対する第１エンコードグラディエント、第２方向に対する第２エンコードグラディエント、第３方向に対する周波数エンコードグラディエントを印加する前記３次元エンコードを行うこと」ことの「第３方向に対する周波数エンコードグラディエント」に相当する。
　そうすると、引用発明の「一つのスラブ勾配磁場Ｇｚ」は、補正発明の「第１方向に対する第１エンコードグラディエント」または「、第２方向に対する第２エンコードグラディエント」に相当することは明らかである。
　　
（イ）上記（ア）及びイ（ア）を踏まえれば、引用発明の「ｃ）」「空間的な符号化勾配磁場が一つの位相勾配磁場Ｇｙ、一つの周波数勾配磁場Ｇｘと一つのスラブ勾配磁場Ｇｚを含んで測定物６にかけるステップ３０２と、
ｄ）ラジオ波受信モジュール２２が、勾配磁場出力モジュール４が空間的な符号化勾配磁場をかける期間に、測定物６が励起された磁気共鳴信号を受信するステップ３０３」は、補正発明の「前記取得する段階は、前記第１グループに含まれた前記励起されたＭ個のサブボリュームそれぞれに対して第１方向に対する第１エンコードグラディエント、第２方向に対する第２エンコードグラディエント、第３方向に対する周波数エンコードグラディエントを印加する前記３次元エンコードを行うことで前記磁気共鳴信号を取得し、
　前記第１方向または前記第２方向のうち、いずれか一方向は、前記選択グラディエントが印加された方向と同一である」ことに相当する。
ク　よって、補正発明と引用発明とは、
「磁気共鳴イメージング（ＭＲＩ）方法において、
　被写体のボリュームを構成する複数のサブボリュームが同時に励起されるように、複数の周波数成分を含むＲＦ（Ｒａｄｉｏ　Ｆｒｅｑｕｅｎｃｙ）パルス及び選択グラディエント（ｇｒａｄｉｅｎｔ）を前記被写体に印加する段階と、
　前記励起されたサブボリュームそれぞれに対して３次元エンコードを行い、前記複数のサブボリュームから磁気共鳴信号を取得する段階と、
　前記取得した磁気共鳴信号を前記複数のサブボリュームそれぞれに対応するイメージデータに復元する段階とを有し、
　Ｍ個（Ｍは、自然数）のサブボリュームが含まれた場合、前記Ｍ個のサブボリュームそれぞれは、複数のスライスが蓄積されたものであり、
　前記印加する段階は、磁気共鳴信号を取得しようとする場合、前記Ｍ個のサブボリュームが同時に励起されるように、前記ＲＦパルス及び前記選択グラディエントを前記被写体に印加し、
　前記取得する段階は、前記励起されたＭ個のサブボリュームそれぞれに対して第１方向に対する第１エンコードグラディエント、第２方向に対する第２エンコードグラディエント、第３方向に対する周波数エンコードグラディエントを印加する前記３次元エンコードを行うことで前記磁気共鳴信号を取得し、
　前記第１方向または前記第２方向のうち、いずれか一方向は、前記選択グラディエントが印加された方向と同一である磁気共鳴イメージング方法。」
の発明である点で一致し、次の点で相違する。
（相違点１）
　同時に励起された複数のサブボリュームが、補正発明では、「隣接するサブボリュームが互いに異なるグループに属するようにグループ化された少なくとも２つ以上のグループそれぞれに含まれた」ものである即ち、「同時に励起された複数のサブボリューム」が隣接していないのに対して、引用発明では、そのような特定がない点。
（相違点２）
　前記Ｍ個のサブボリュームと、前記ＲＦパルス及び前記選択グラディエントを前記被写体に印加する段階が、
補正発明では、前記Ｍ個のサブボリュームが、「Ｍ個（Ｍは、自然数）のサブボリュームが含まれた」「前記少なくとも２つ以上のグループがｎ個（ｎは、自然数）存在し」、前記印加する段階が、「前記ｎ個のグループのうち、第１グループに対して磁気共鳴信号を取得しようとする場合、前記第１グループに含まれた前記Ｍ個のサブボリューム」が同時に励起されるように」印加しているのに対して、
引用発明では、そのような特定がない点。
（２）判断
ア　相違点１についての検討
　引用発明の、「一つまたは多数のラジオ波（ＲＦ）パルスと一つのスラブ励起勾配磁場をかけることにより」「励起させる」、「少なくとも２つのスラブ」の配置に特段の制約が無く適宜の配置であることは技術的に明らかである。
　引用文献Ｂには、「選択されたスライス位置は、隣接して空間を置いて配置する必要はなく、むしろ、スライス位置のグループにおける各スライス位置が、間隔を置いて配置されている。このため、スライス位置のグループの次の位置が、他のグループ位置と交互に配置される。」と記載されており、複数のスライスの配置として隣接しない配置が記載されている。
　そうすると、引用発明も引用文献Ｂも、共にマルチスライス／スラブ磁気共鳴信号を同時に取得する成像方法に関する発明であるから、引用発明の複数のスラブの配置として、引用文献Ｂに記載されている、複数のスライスの配置として隣接しない配置を採用し、相違点１に係る補正発明の構成とすることは、当業者が容易に想到するものである。
イ　相違点２についての検討
　複数のスラブを同時に励起する引用発明において、測定物６の全体のイメージデータを得るためには、該励起を測定物６に複数回行うことが必要であることは明らかであるから、ＲＦパルス及び前記選択グラディエントを前記被写体に印加する段階を何回とするかは、当業者が適宜なし得ることであり、引用発明のスラブの数をＭ個と表現し、該励起を測定物６に行う回数をｎ回と表現して、その結果、相違点２に係る補正発明の構成とすることは、当業者が適宜成し得る設計事項にすぎない。
　
ウ　そして、補正発明の作用効果は、引用文献Ａ及びＢの記載事項及び周知技術から当業者が予測し得る範囲内のものにすぎず、格別顕著なものともいえない。
エ　請求人の主張について 
　請求人は、平成３１年４月２２日付けで上申書を提出し、補正案を提示しているので、以下一応検討する。
　補正案では、請求項１について、
　「隣接するサブボリュームが互いに異なるグループに属するようにグループ化された少なくとも２つ以上のグループに含まれた複数のサブボリュームが同時に励起されるように」を「隣接するサブボリュームが互いに異なるグループに属するようにグループ化された少なくとも２つ以上のグループ
の内の現在処理されるグループ
　「
前記印加する段階は、前記現在処理されるグループに対するイメージデータの復元が完了された後、次に処理されるグループに含まれた複数のサブボリュームが同時に励起されるように、前記ＲＦパルス及び前記グラディエントを前記被写体に印加し、
　「前記少なくとも２つ以上のグループがｎ個（ｎは、自然数）存在し、前記ｎ個のグループのそれぞれにはＭ個（Ｍは、自然数）のサブボリュームが含まれた場合、前記Ｍ個のサブボリュームのそれぞれは、複数のスライスが蓄積されたものであり、」を「前記少なくとも２つ以上のグループがｎ個（ｎは、自然数）存在し、前記ｎ個のグループのそれぞれには
互いに隣接しない
２以上の
前記Ｍ個のサブボリュームのそれぞれは第１グループ乃至第ｎグループに順次に繰り返されて含まれ、
　しかしながら、当該「上申書補正１」は、「同時に励起される」「複数のサブボリューム」を現在処理されるグループであることを明確にした補正であり、当該「上申書補正２」は、復元の段階の完了後に次に処理されるグループに対する印加する段階があることを特定したものであるが、復元の段階の完了後に次に処理されるスライス／スラブを励起することは常套手段にすぎず、当該「上申書補正３」は、印加する段階、取得する段階、復元する段階からなる磁気共鳴イメージング方法を第１グループから第ｎグループまで順次繰り返すことを特定したものであるが、測定物の全体のイメージを取得する場合は当然、印加する段階、取得する段階、復元する段階を繰り返すものであるから、依然として当業者が容易に発明をすることができたものとの判断に変わりはない。
オ　したがって、補正発明は、引用発明及び引用文献Ｂに記載の技術事項に基いて当業者が容易に発明をすることができたものであり、特許法第２９条第２項の規定により、特許出願の際独立して特許を受けることができないものである。
４　まとめ　　
　以上のとおりであるから、本件補正は、特許法第１７条の２第６項において準用する同法第１２６条第７項の規定に違反するので、同法第１５９条第１項の規定において読み替えて準用する同法第５３条第１項の規定により、却下すべきものである。　
　
第３　本願発明について　　
１　本願発明　
　本件補正は、上記のとおり却下されたので、本願の請求項１〜１８に係る発明は、平成２９年１１月２８日にされた手続補正により補正された特許請求の範囲の請求項１〜１８に記載された事項により特定されたものであって、その請求項１に係る発明は、次のとおりであると認める。　
「　【請求項１】
　磁気共鳴イメージング（ＭＲＩ）方法において、
　被写体のボリュームを構成する複数のサブボリュームの内、隣接するサブボリュームが互いに異なるグループに属するようにグループ化された少なくとも２つ以上のグループそれぞれに含まれた複数のサブボリュームが同時に励起されるように、複数の周波数成分を含むＲＦ（Ｒａｄｉｏ　Ｆｒｅｑｕｅｎｃｙ）パルス及び選択グラディエント（ｇｒａｄｉｅｎｔ）を前記被写体に印加する段階と、
　前記励起されたサブボリュームそれぞれに対して３次元エンコードを行い、前記複数のサブボリュームから磁気共鳴信号を取得する段階と、
　前記取得した磁気共鳴信号を前記複数のサブボリュームそれぞれに対応するイメージデータに復元する段階とを有し、
　前記複数のサブボリュームそれぞれは、複数のスライスが蓄積されたことを特徴とする磁気共鳴イメージング方法。」（以下、「本願発明」という。）
　
２　原査定における拒絶の理由
　原査定の拒絶の理由は、この出願の請求項１〜１８に係る発明は、本願の優先権主張日前日本国内又は外国において頒布された又は電気通信回線を通じて公衆に利用可能となった下記の引用文献に記載された発明に基いて、本願の優先権主張日前にその発明の属する技術の分野における通常の知識を有する者が容易に発明をすることができたものであるから、特許法第２９条第２項の規定により特許を受けることができない、というものである。
　　　　　　　　　　　　　記
１．国際公開第２０１１／１０６６４９号（引用文献Ｂ）
２．特開２００９−２６８８９１号公報（引用文献Ａ）
　なお、原査定の拒絶の理由は、上記のとおり、引用文献１（引用文献Ｂ）を主引例とし、引用文献２（引用文献Ａ）を副引例とする進歩性に関するものであるが、平成３０年９月１２日付けの補正の却下の決定において主引例と副引例を入れ替えた進歩性について説示している。
　その後、請求人は、審判請求と同時に補正の機会があり、審判請求書において、引用文献Ａを主引例とし、引用文献Ｂを副引例とした進歩性についての反論をしている。
３　引用文献及びその記載事項　　
　本願の最先の優先権主張日前に頒布された引用文献Ａ、Ｂの記載事項及び引用発明は、上記「第２［理由］　２」に記載したとおりである。　
　　　
４　当審の判断　　
　本願発明は、補正前の請求項１に係る発明を特定するために必要な事項である「２つ以上のグループそれぞれに含まれた複数のサブボリューム」が「前記複数のサブボリュームそれぞれは、複数のスライスが蓄積された」ものであることについて、「前記少なくとも２つ以上のグループがｎ個（ｎは、自然数）存在し、前記ｎ個のグループそれぞれには、Ｍ個（Ｍは、自然数）のサブボリュームが含まれた場合、前記Ｍ個のサブボリュームそれぞれは、複数のスライスが蓄積されたものであり」と、「２つ以上のグループそれぞれに含まれた複数のサブボリューム」の「グループ」の数と「サブボリューム」の数を明示的に限定し、
　「前記被写体に印加する段階」について、「前記ｎ個のグループのうち、第１グループに対して磁気共鳴信号を取得しようとする場合、前記第１グループに含まれた前記Ｍ個のサブボリュームが同時に励起されるように、前記ＲＦパルス及び前記選択グラディエントを前記被写体に印加し、」と限定し、
 「前記複数のサブボリュームから磁気共鳴信号を取得する段階」について、「前記第１グループに含まれた前記励起されたＭ個のサブボリュームそれぞれに対して第１方向に対する第１エンコードグラディエント、第２方向に対する第２エンコードグラディエント、第３方向に対する周波数エンコードグラディエントを印加する前記３次元エンコードを行うことで前記磁気共鳴信号を取得し、
　前記第１方向または前記第２方向のうち、いずれか一方向は、前記選択グラディエントが印加された方向と同一である」と限定した本件補正から、上記限定事項を全て削除したものである。
　そうすると、本願発明の発明特定事項を全て含み、さらに他の事項を付加したものに相当する本件補正発明が、前記「第２の［理由］２、３」に記載したとおり、引用発明及び引用文献Ｂに記載された技術事項に基づいて、当業者が容易に発明をすることができたものであるから、本願発明も、引用発明及び引用文献Ｂに記載された技術事項に基づいて、当業者が容易に発明をすることができたものである。
第４　まとめ　　
　以上のとおり、本願発明は、特許法第２９条第２項の規定により特許を受けることができないから、その他の請求項について言及するまでもなく、本願は拒絶されるべきものである。　　
　よって、結論のとおり審決する。